(57)【要約】【課題】  従来のよだれ掛けは紐で取り付けたり、防水性が低いなどの不便があため、柔らかく吸水性が高い紙素材による複層吸水シート体の両サイドに折りひだを設けた、シンプルにして機能的かつファッション性が高い使い捨てよだれ掛けを提供する。【解決手段】  柔軟性を有する紙２を複数枚重ねて略楕円状を成す複層吸水シート体３の周囲を圧縮接着した圧着縁４を設けて成る左右両サイド寄りに、折りひだ５を圧着部６をもって縦状２本に形成した前記圧着部６を折り目７とするよだれ掛け１の裏面に、前記折り目７の下側周囲と上側周囲にそれぞれ単独の剥離紙付き接着部８を設け、さらに折り目７の上下部それぞれの中ほどには、縦状に２本の剥離紙付き接着部８を設けた使い捨てよだれれ掛け。【選択図】  図１
2005068623.tif 000002
【特許請求の範囲】
【請求項１】
幼児の胸部分を覆う大きさで、かつ柔らかく吸水性が高い紙を複数枚重ねた複層吸水シート体の周囲を圧着縁を形成して成るよだれ掛けの裏面に、剥離紙付き接着部を設けた構成を特徴とする使い捨てよだれ掛け。
【請求項２】
よだれ掛けの両サイドに、圧着部による２本の折りひだを縦状に形成した請求項１に記載する使い捨てよだれ掛け。
【請求項３】
よだれ掛けを形成する複層吸水シート体の中に、高分子吸収材を封入した請求項１又は請求項２に記載する使い捨てよだれ掛け。
【請求項４】
よだれ掛けの裏面に設ける剥離紙付き接着部の取り付け位置が、縦中ほどと周囲に設けた請求項１〜請求項３のいずれかに記載した使い捨てよだれ掛け。
【請求項５】
剥離紙付き接着部が、折り目の下部と上部にそれぞれ別けて設けた請求項４に記載する使い捨てよだれ掛け。
【請求項６】
よだれ掛けの表面に動物の絵や花などの図柄を装飾表示した請求項１〜請求項５のいずれかに記載する使い捨てよだれ掛け。
【発明の詳細な説明】
【発明の詳細な説明】
【技術分野】
【０００１】  本発明は、吸水性の高い複層紙素材により、シンプルにして機能的かつファッション性も高い使い捨て  だれ掛けに関する。
【背景技術】
【０００２】  従来より、赤ちゃんや幼児などに用いられるよだれ掛けには、幼児の胸部分を覆う形状の布地に首に掛け止めする紐を備えたよだれ掛けがあり、使用後はそのつど洗濯して使えるものとして提供されている。これ以外のよだれ掛けとしては、紐を取り付けた布地製よだれ掛けの首元にあたる上辺に折り返し片を設けたよだれ掛けがある。（例えば特許文献１参照。）。さらによだれ掛けの素材を紙素材とし、外形がドーナツ状を成す一部を着脱自在として首まわりに装着し、汚れた際はそのつど回して新しい面をよだれ掛けとして使える使い捨てよだれ掛けの技術もある。（例えば特許文献２参照。）。【０００３】
【特許文献１】          特開平１０−２９８８０２号公報（第２頁、図１）
【０００４】
【特許文献２】          実開平７−１００６号公報（第２頁、図１）
【発明が解決しようとする課題】
【０００５】上記するようなよだれ掛けがあり、まず古くからある布製の一般的なよだれ掛けは、洗濯すれば何回でも使える便利さはあるが、汚れたら取り替えて早めに洗わないと落ちにくい場合もあるし、また多めの汁や果汁などが垂れた場合は薄い布地のよだれ掛けでは吸収できずに着衣まで汚してしますことも多かった。
【０００６】  また特開平１０−２９８８０２号によるよだれ掛けは、布地の一部に紐を取り付けた首元部位に折り返し片を取り付けて、紐とともに前記折り返し片を着衣の首元に折り返して装着するものであるが、幼児の胸部位に装着するにはまず紐を首に掛けて結んで後に、首元の折り返し片を着衣の内側に折り返して装着するが、素材は布地であるので汚れたつど洗濯する必要があることに加え、取り付けは首周りに紐で取り付けるので幼児には嫌われ、また首元の折り返し片は単に折り返して着衣に挟むだけであるため、食事中でも動きの多い幼児の場合はズレたりして汚れを防げなかったり、布地であるので前記タイプ同様に汁などが垂れた場合は十分に対応できないなどの不便や欠点をもつ技術である。
【０００７】  さらに実開平７−１００６号による紙製のよだれ掛けは、紙の表面材と吸水材、防水材など三層よりなるドーナツ状の一部をカットした部位に、着脱分離できる粘着テープを設けたものであるが、幼児の首に取り付けた際はドーナツ状の内周で締め付けられる感じとなるため、幼児は嫌がったり円盤状になっているよだれ掛けを掴んで取り外してしまう要素が多い。またドーナツ状にすることで汚れた際はそのつど回して新しい面をよだれ掛けとして使うものであるが、家庭内ではともかく、一目のある外での食事の際は見た目にも体裁が悪く、今のファッション性を求める時代にあって幼児用とはいえ使いにくいものである。さらにドーナツ状でかつ表面材、吸収材、防水材と異なる素材で形成されることはコスト高になるなどの不便や欠点が多いよだれ掛けの技術である。
【課題を解決するための手段】
【０００８】  本発明は前記するよだれ掛けの課題を解決するために成されたものであり、その解決手段として、請求項１においては、幼児の胸部分を覆う大きさで、かつ柔らかく吸水性が高い紙を複数枚を重ねた復層吸水シート体の周囲を圧着して成るよだれ掛けの裏面に、剥離紙付き接着部を設けたよだれ掛けを構成する。
【０００９】  請求項２においては、上記するよだれ掛けの表面側の両サイドに、圧着して成る２本の折りひだを縦に設けた使い捨てよだれ掛けとする。
【００１０】  請求項３においては、上記するよだれ掛けを形成する複層吸水シート体の中に、高分子吸収材を封入した使い捨てよだれ掛けとする。
【００１１】  請求項３においては、上記するよだれ掛けの裏面に設ける剥離紙付き接着部の取り付け位置が、縦中ほどと周囲に設けた使い捨てよだれ掛けとする。
【００１２】  請求項５においては、剥離紙付き接着部が折り目の下部と上部にそれぞれ別けて設けたよだれ掛けとする。
【００１３】  請求項６においては、よだれ掛けの表面に動物の絵などの装飾表示を施した使い捨てよだれ掛けとするが、以下、さらに具体的な実施の形態を詳述する。
【発明を実施するための最良の形態】
【００１４】  第１の実施の形態のよだれ掛けを図１に示す正面図と図２に示すＡ−Ａ線拡大端面図、図３に示すよだけ掛けの裏面図、図４に示すよだれ掛けの使用状態の参考図を示しならが説明する。
まず、よだれ掛け１本体は赤ちゃんのおむつなどに採用されるような、吸水性が高くかつ柔軟性を有する紙２を複数枚重ねて略楕円状を成す複層吸水シート体３の周囲を圧縮接着した圧着縁４を設けて成る左右両サイド寄りに、折りひだ５を圧着部６をもって２本縦状に形成した前記圧着部６を折り目７とするよだれ掛け１の裏面に、前記折り目７の下側の周囲に剥離紙付き接着部８を設け、さらに折り目７の上側周囲にも同様に剥離紙付き接着部８を設けた折り目７の上下部それぞれの中ほどに、縦状に２本の剥離紙付き接着部８を設けて本発明による第１の実施の形態によるよだれ掛け１を構成する。【００１５】  第１の実施の形態によるよだれ掛け１は、柔軟で吸水性が高い紙を複数枚重ねた略楕円状を成す複層吸水シート体３の両サイドに縦の折りひだを５を形成し、かつ裏面には、周囲と中ほどに剥離紙付き接着部８を設けているため、よだれ掛け１はシンプルであり、さらに表面の両サイドには折りひだ５を設けることで中ほどが膨らむ形状により汁などを吸収しやすくし、また折りひだだ５により左右端部に流れるのを防ぐ作用を成す。また裏面の剥離紙付き接着部８は周囲及び中ほどとほぼ全面に設けられているので、幼児の着衣に取り付けるとかなり動いてもズレないし、また幼児が剥そうとしても簡単に剥れたりしないで装着できる。【００１６】  第２の実施の形態によるよだれ掛けを図５に示す一部欠損した正面図と図６の使用状態の参考図を参照して説明する。
第２の実施の形態によるよだれ掛け１は、基本的には第１の実施の形態と同じであるが、よだれ掛け１本体を形成する複層吸水シート体３の紙２の間に高分子吸水材９を封入しており、さらによだれ掛け１本体の表面には、動物やキャラクター、花柄などをプリントした装飾表示１０を施したよだれ掛け１を構成する。【００１７】  第２の実施の形態によるよだれ掛け１は、基本的には第１の実施の形態と同じであるが、よだれ掛け１を形成する複層吸水シート体３の紙２の間に高分子吸水材９を封入しているので、汁などの液体が垂れた場合の吸水量を高めるとともに、ゲル状に変化させて保持するためよだれ掛け１本体の裏面にしみ出すことはない。またよだれ掛け１表面には、動物やキャラクター、花柄などの装飾表示１０を大きくプリントできるので、シンプルで機能的であるとともに高いファッション性も合わせ持つよだれ掛け１を構成する。
【発明の効果】
【００１８】  この発明によるよだれ掛け以上のような構成とするので、次に示すような特徴や効果を有する。
よだれ掛け本体の素材は吸水性が高く、赤ちゃんのおむつなどに採用される柔らかで吸水性が高い紙を復数枚重ねた複層吸水シート体で形成されているので、肌触りの良さや吸水性はもとより、表面の中ほど左右には折りひだを２本を縦に形成しているので、垂れたよだれや汁が左右方向に流れるのを防ぎ、かつ中ほどは膨らみを形成しているので、多めの汁などが流れても裏面にまで届かずに保持できるため着衣を汚す心配がない機能的なよだれ掛けを構成する。
【００１９】  さらによだれ掛けを使用する時は、まずよだれ掛け裏面の折り目の下側に位置する剥離紙を剥して後に幼児の胸部分の着衣に貼り付け、後は折り目上部の剥離紙を剥してから着衣の首元の内側に折り込んで接着するだけで、容易にして確実かつ体裁よくよだれ掛けを装着できる。また取り外す時は逆の手順で簡単に取り外せるとともに、接着力はまだあるので小さく丸めて処分できる使い捨てよだれ掛けである。また高分子吸収材を封入したタイプはかなり多めの汁が垂れても対応できるものである。さらに動物や図柄などの装飾表示をする面は大きいので、愛らしくかつファッション性高いよだれ掛けとすることが可能である。
【００２０】  この発明のよだれ掛けは幼児などを対象とするものであるが、介護高齢者用に採用しても使いやすいものである。またよだれ掛けは紙素材のみであるとともに紐や複雑な部材は付いていないうえ、防水材としての合成樹脂シートなども使用していないので使い捨てであっても環境に優しく、かつシンプルな構成であるので安価なコストで提供できる。
【００２１】  さらに本発明におけるよだれ掛けは、通常は一枚を首元に貼り付けて使用するが、接着力が強いので食事中でも動きが激しい子供やまた汁物が多い食事の場合は一枚では汚れを防ぎ切れない時もあるが、その場合はさらに下側の両サイドによだれ掛けを貼り付けて複数枚同時に使用することも可能である。また外で遊ぶ時に土の上や砂場に座り込んだり寝ころんで遊び場合などは、あらかじめ汚れやすいお尻や袖口回り、背中などにこのよだれ掛けを貼り付けることで、衣服の汚れを最小限にすることができるなど従来には見られない機能的にして多様な使い方もできるよだれ掛けである。
【図面の簡単な説明】
【図１】  第１の実施の形態のよだれ掛けを示す正面図である。
【図２】  Ａ−Ａ線拡大端面図である。
【図３】  よだれ掛けの裏面図である。
【図４】  第１の実施の形態のよだれ掛けの使用状態を示す参考図である。
【図５】  第２の実施の形態のよだれ掛けを示す一部欠損した正面図である。
【図６】  第２の実施の形態のよだれ掛けの使用状態を示す参考図である。
【符号の説明】
１・・よだれ掛け、２・・紙、３・・複層吸水シート体、４・・圧着縁、５・・折りひだ、６・・圧着部、７・・折り目、８・・剥離紙付き接着部、９・・高分子吸収材
【図１】
2005068623.tif 000003
【図２】
2005068623.tif 000004
【図３】
2005068623.tif 000005
【図４】
2005068623.tif 000006
【図５】
2005068623.tif 000007
【図６】
2005068623.tif 000008